(57)【要約】【課題】無線受信装置の内部から発生するスプリアス信号によって、無線信号に悪影響を及ぼすのを防止する。【解決手段】所定の周波数のクロック信号を発生する複数個のクロック信号源１３と、このクロック信号源１３を切り替えるクロックセレクタ１４と、クロック信号源１３をクロックセレクタ１４で切り替えるための情報を受信周波数別に記憶するメモリ１２とを備え、無線信号の受信時に、メモリ１２からクロックセレクタ１４で切り替えるための情報を読み出して、クロック信号源１３を切り替えることにより、内部から発生するスプリアス信号による障害を低減する。【選択図】　　　　図１
2004032649.tif 000002
【特許請求の範囲】
【請求項１】
所定の周波数のクロック信号を発生する複数個のクロック信号源と、
前記複数個のクロック信号源を切り替えるクロック切り替え手段と、
前記複数個のクロック信号源を前記クロック切り替え手段で切り替えるための情報を受信周波数別に記憶するメモリ手段とを備え、
無線信号の受信時に、前記メモリ手段から前記クロック切り替え手段で切り替えるための情報を読み出して前記複数個のクロック信号源を切り替えることにより、内部から発生するスプリアス信号による障害を低減するように構成したことを特徴とする無線受信装置。
【請求項２】
Ａ／Ｄ変換器を含むデジタル信号処理を、前記切り替えられたクロック信号源のクロック信号を用いて行うように構成したことを特徴とする請求項１記載の無線受信装置。
【請求項３】
Ａ／Ｄ変換器は固定のサンプリングクロックを用い、それ以降のデジタル信号処理は、前記切り替えられたクロック信号源のクロック信号を用いて行うように構成したことを特徴とする請求項１記載の無線受信機。
【請求項４】
前記切り替えられたクロック信号源のクロック信号によるデータレートへの影響を防ぐためのバッファ手段をデジタル信号処理の後段に設け、データレートを一定に保持するように構成したことを特徴とする請求項１から３のうちいずれか一項記載の無線受信装置。
【発明の詳細な説明】
【０００１】
【発明の属する技術分野】
本発明は、無線受信装置の内部から発生するスプリアス信号によって、無線信号に悪影響を及ぼすのを防止する無線受信装置に関するものである。
【０００２】
【従来の技術】
無線受信装置は、局部発振器のほかにも制御用ＣＰＵ（コンピュータ）に用いるクロック信号源や、回路用ＩＣ（集積回路）に用いるクロック信号源など、多くの発振源を有している。このため、これらの発振源から発生するクロック信号の高調波成分が受信回路へ回り込み、その中の受信波、あるいは中間周波数に相当するスプリアス信号によって、本来の受信波（希望波）が妨害を受けることがあった。
【０００３】
このスプリアス信号によって、本来の受信波が妨害を受け受信性能に悪影響を及ぼす過程を図３に示すサービス統合地上デジタル放送（ＩＳＤＢ−Ｔ：Ｉｎｔｅｇｒａｔｅｄ　Ｓｅｒｖｉｃｅｓ　Ｄｉｇｉｔａｌ　Ｂｒｏａｄｃａｓｔｉｎｇ−Ｔｅｒｒｅｓｔｒｉａｌ）用受信装置を例に挙げて説明する。
【０００４】
なお、上記のＩＳＤＢ−Ｔの例えば、地上デジタルテレビ放送ＩＳＤＢ−Ｔは、１チャンネルの伝送波を１３個の帯域（ＯＦＤＭセグメント）に分割して、セグメントごとに、伝達パラメータや伝送する情報を設定する方式である。このため、１チャンネルでハイビジョン放送、あるいは複数の標準テレビ放送やデータなど様々なサービスを組み合わせて放送することができるようにしている。また、一部のセグメントの伝送パラメータを妨害波等に強く設定することによって、一般家庭での受信に加えて、自動車での受信や携帯端末での受信に適したサービスを可能にしたものである。
【０００５】
上述したような内容の放送波を受信する図３に示すＩＳＤＢ−Ｔ用受信装置において、チューナ１からＩＦ信号を受けて、Ａ／Ｄ変換器２でＡ／Ｄ変換をするときのサンプリング周波数は、高速フーリエ変換（ＦＦＴ）のサンプリング周波数８，１２６，９８４Ｈｚの２倍の約１６．２５ＭＨｚである。また、この１６．２５ＭＨｚのサンプリング周波数は、１６．２５ＭＨｚの２倍の３２．５ＭＨｚの発振器を有するクロック回路３において２分周して生成している。さらに、デコーダ４は、クロック回路３から供給されるクロック信号に基づき、デジタルサンプリングされた信号をデコードし、そのデコードされたデータは、ＡＶ信号として出力している。
【０００６】
このように構成したＩＳＤＢ−Ｔ用受信機において、例えば、受信周波数切り替え部５がＵＨＦ１５チャンネルを選択した場合、この３２．５ＭＨｚの１５倍である４８７．５ＭＨｚの高調波成分は、ＵＨＦ１５チャンネルの帯域４８２ＭＨｚ〜４８８ＭＨｚ内にスプリアス信号として侵入してしまう可能性があった。
【０００７】
【発明が解決しようとする課題】
従来、このようなスプリアス信号が発生した場合、例えば、信号ラインにフィルタを付加することによって、そのスプリアス信号を低減させていた。しかし、上述したようなデジタル信号処理部のクロック信号による高調波のスプリアス信号は、様々な発生要因が考えられ、フィルタを付加する等の対策だけでは除去しきれないという問題点があった。
【０００８】
また、上記以外の対策としては、例えば、個別に発振源の水晶素子を差し替えるなどして、発振周波数を調整し、スプリアス信号を抑制するようにしていた。しかし、複数の受信チャンネルを有する無線受信装置では、ある発振源の発振周波数を調整することで、特定のチャンネルにおけるスプリアス信号の発生を抑制することができても、他のチャンネルでのスプリアス信号が発生する場合があり、調整が極めて困難であった。
【０００９】
本発明は、従来の技術の有するこのような課題を解決するためになされたものであり、その目的とするところは、複数の受信チャンネルを有する無線受信装置において、自己の発振源から発生する高調波のスプリアス信号を受信チャンネル帯域以外へシフトしてスプリアス障害を低減することができる無線受信装置を提供しようとするものである。
【００１０】
【課題を解決するための手段】
上記の目的を達成するために、本発明の無線受信装置においては、所定の周波数のクロック信号を発生する複数個のクロック信号源と、この複数個のクロック信号源を切り替えるクロック切り替え手段と、複数個のクロック信号源をクロック切り替え手段で切り替えるための情報を受信周波数別に記憶するメモリ手段とを備え、無線信号の受信時に、メモリ手段からクロック切り替え手段で切り替えるための情報を読み出して、複数個のクロック信号源を切り替えることにより、内部から発生するスプリアス信号による障害を低減するように構成したものである。
【００１１】
また、Ａ／Ｄ変換器を含むデジタル信号処理を、切り替えられたクロック信号源のクロック信号を用いて行うように構成することが効果的である。
【００１２】
また、Ａ／Ｄ変換器は、固定のサンプリングクロックを用い、それ以降のデジタル信号処理は、切り替えられたクロック信号源のクロック信号を用いて行うように構成することもできる。
【００１３】
さらに、切り替えられたクロック信号源のクロック信号によるデータレートへの影響を防ぐためのバッファ手段を、デジタル信号処理の後段に設け、データレートを一定に保持するように構成することが好ましい。
【００１４】
【発明の実施の形態】
本発明の実施の形態を実施例のもとづき図面を参照して説明する。
本発明に係わる無線受信装置は、特に、デジタル信号処理部で使用する発振器による高調波のスプリアス信号が受信帯域内に侵入しないように、受信周波数ごとに、複数のクロック発振源を切り替えて選択使用するように構成したものである。
【００１５】
図１は、本発明に係わる無線受信装置をＩＳＤＢ−Ｔ用受信装置に実施した場合の第１の実施例の構成を示し、図２は、第２の実施例の構成を示している。
まず、図１の第１の実施例について説明する。
【００１６】
図１において、６はチューナ、７はＡ／Ｄ変換器、８はリサンプリング処理部、９はデコーダ、１０はデータレートを一定に保持するためのバッファとしての働きをするＦＩＦＯ（ファーストイン・ファーストアウト）である。１１は受信周波数切り替え部で、チューナ６を所望の受信周波数に合わせるように構成している。さらに、この受信周波数切り替え部１１は、受信周波数別にクロック信号源１３の内のどのクロック信号に切り替えて使用するかというメモリ１２内にテーブルとして持たせてあるデータを参照するように構成している。
【００１７】
また、クロック信号源１３は、受信周波数別に、例えば、３２ＭＨｚのクロック信号を発生するクロックＡと、３２．５ＭＨｚのクロック信号を発生するクロックＢと、３３ＭＨｚのクロック信号を発生するクロックＣ等の複数個のクロックを備えている。１４はクロックセレクタで、メモリ１２からクロック信号源１３の内のどのクロック信号が受信周波数に対応するクロック信号であるかというクロック切り替え情報を読み出してスイッチ手段Ｓを切り替え、スプリアス信号が侵入しない最適なクロック信号を選択するように構成している。このクロックセレクタ１４により選択されたクロック信号は、Ａ／Ｄ変換器７、リサンプリング処理部８およびデコーダ９等へそれぞれ供給され、各デジタル信号処理部のクロック信号として用いている。
【００１８】
このように構成することによって、例えば、ＵＨＦ１５チャンネルを受信しているとき、３３ＭＨｚのクロックＣをクロックセレクタ１４のスイッチ手段Ｓが選択すると、この３３ＭＨｚの１５倍である高調波のスプリアス信号４９５ＭＨｚが存在したとしても、このスプリアス信号４９５ＭＨｚは、ＵＨＦ１５チャンネルの帯域４８２ＭＨｚ〜４８８ＭＨｚへ侵入することはなく、スプリアス障害を低減することができる。
【００１９】
しかし、ＵＨＦ１７チャンネルで、同じ３３ＭＨのクロックＣを使用したと仮定すると、１５倍の４９５ＭＨのスプリアス信号が、ＵＨＦ１７チャンネルの帯域４９４ＭＨｚ〜５００ＭＨｚへ侵入する虞がある状態となる。したがって、このＵＨＦ１７チャンネルを受信する場合は、クロックセレクタ１４は、ＵＨＦ１７チャンネル受信と同時に、スイッチ手段Ｓを３２ＭＨｚのクロックＡへ切り替え、高調波のスプリアス信号を４８０ＭＨｚへシフトさせ、ＵＨＦ１７チャンネルの帯域４９４ＭＨｚ〜５００ＭＨｚへのスプリアス信号の侵入を回避し、スプリアス障害の低減を図るようにしている。
【００２０】
また、図１の第１の実施例において、チューナ６から出力されたＩＦ信号は、Ａ／Ｄ変換器７によりサンプリングされる。しかし、この第１の実施例では、Ａ／Ｄ変換器７のサンプリング周波数は、クロックセレクタ１４で選択されたクロック信号によりまちまちであるため、次段のリサンプリング処理部８において、１６．２５ＭＨｚでデジタルサンプリングを行うように構成している。また、このリサンプリング処理部８でデジタルサンプリングを行った後、デコーダ９でデコードされたデータは、ＡＶ信号として出力されるが、このデコーダ９の出力側へ例えば、ＦＩＦＯ１０等のバッファを設けることによって、クロック信号が切り替えられることによる影響により、出力データレートが変わってしまうのを防ぐことができ、一定のデータレートを保持して出力することが可能となる。
【００２１】
次に、図２に示す本発明の第２実施例について説明する。なお、図１に示す第１の実施例と同一部分には、同一符号を付し、その共通する箇所の詳細な説明は重複するため省略する。
【００２２】
図２の第２の実施例において、図１の実施例と構成が異なるところは、Ａ／Ｄ変換器７に、１６．２５ＭＨｚの固定したサンプリングクロック１５を用いた点にある。図１の第１の実施例で述べたリサンプリング処理部８は、複雑な信号処理が必要であり、回路規模が大きくなる。それに代る手段として構成したものが第２の実施例である。
【００２３】
図２の第２の実施例においては、１６．２５ＭＨｚのサンプリングクロック１５の周波数は一定であり、クロックセレクタ１４のスイッチ手段Ｓで切り替えられたクロック周波数とは異なるので、Ａ／Ｄ変換器７とデコーダ９との間に、ＦＩＦＯ１６を設ける。このＦＩＦＯ１６にサンプリングされたデータを一時貯めておき、データが一定量に達した時に、デコーダ９へ出力するように構成している。また、デコーダ９において用いているクロック信号をサンプリングクロック１５より高い周波数に設定することにより、ＦＩＦＯ１６のオーバフローを防止することができる。
【００２４】
なお、上述した第１および第２の実施例では、本発明に係わる無線受信装置をＩＳＤＢ−Ｔ用受信装置に実施した場合について説明したが、これに限るものではなく、本発明に係わる無線受信装置は、他の無線通信システムにおける複数の受信チャンネルを有する無線受信装置にも適用することができる。
【００２５】
【発明の効果】
本発明は、以上説明したように構成されているので、自己の発振源から発生する高調波のスプリアス信号を受信チャンネル帯域以外へシフトしてスプリアス障害を低減することができる。
【図面の簡単な説明】
【図１】本発明に係わる無線受信装置の第１の実施例を示すブロック図である。
【図２】本発明に係わる無線受信装置の第２の実施例を示すブロック図である。
【図３】従来の無線受信装置の一例を示すブロック図である。
【符号の説明】
６　　　チューナ
７　　　Ａ／Ｄ変換器
８　　　リサンプリング処理部
９　　　デコーダ
１０　　ＦＩＦＯ
１１　　受信周波数切り替え部
１２　　メモリ
１３　　クロック信号源
１４　　クロックセレクタ
１５　　サンプリングクロック
１６　　ＦＩＦＯ
【図１】
2004032649.tif 000003
【図２】
2004032649.tif 000004
【図３】
2004032649.tif 000005